(57)【要約】【課題】撮像素子で撮影した画像に縦色収差の影響による色にじみが生じるのを防止することができるとともに、比較的安価で製造することができる望遠鏡本体および望遠鏡を提供すること。【解決手段】本発明の地上望遠鏡本体１は、対物光学系１１と、ピント合わせを行う際に操作するピントリング３２とピントリング３２の操作によって光軸方向へ移動するフォーカスレンズ３１とを有する合焦手段３と、対物光学系１１およびフォーカスレンズ３１により得られた像を撮像する撮像素子としてのＣＣＤ１６とを備え、ＣＣＤ１６へ入射する光に含まれる紫外領域付近の波長の光を除去する紫外線除去手段としての紫外線カットフィルターを設けたことを特徴とする。【選択図】図３
2005121723.tif 000002
【特許請求の範囲】
【請求項１】
対物光学系と、
ピント合わせを行う際に操作するピント操作部材と、前記ピント操作部材の操作によって光軸方向へ移動するフォーカスレンズとを有する合焦手段と、
前記対物光学系および前記フォーカスレンズにより得られた像を撮像する撮像素子とを備えた望遠鏡本体であって、
前記撮像素子へ入射する光に含まれる紫外領域付近の波長の光を除去する紫外線除去手段を設けたことを特徴とする望遠鏡本体。
【請求項２】
前記紫外線除去手段は、波長が４３０ｎｍ以下の光の５０％以上を除去する請求項１に記載の望遠鏡本体。
【請求項３】
前記フォーカスレンズを経た光路を、接眼光学系へ向かう光路と前記撮像素子へ向かう光路とに分岐させるビームスプリッターをさらに備え、
前記紫外線除去手段は、前記ビームスプリッターと前記撮像素子との間の光路に設けられている請求項１または２に記載の望遠鏡本体。
【請求項４】
前記フォーカスレンズを経た光路を、接眼光学系へ向かう光路と前記撮像素子へ向かう光路とに分岐させるビームスプリッターと、
前記ビームスプリッターと前記撮像素子との間の光路に配置され、前記ビームスプリッターからの光束を前記撮像素子の受光面上に結像させる結像光学系とをさらに備える請求項１ないし３のいずれかに記載の望遠鏡本体。
【請求項５】
前記紫外線除去手段は、前記結像光学系と前記撮像素子との間の光路に設けられている請求項４に記載の望遠鏡本体。
【請求項６】
前記紫外線除去手段は、前記撮像素子の受光面近傍に設けられた光学フィルターである請求項１ないし５のいずれかに記載の望遠鏡本体。
【請求項７】
前記撮像素子の受光面近傍に設けられた光学ローパスフィルターおよび／または赤外線カットフィルターを有し、前記光学フィルターは、前記光学ローパスフィルターおよび／または前記赤外線カットフィルターと積層されている請求項６に記載の望遠鏡本体。
【請求項８】
前記対物光学系を含む前記対物光学系から前記撮像素子の受光面までの間に配置された光学系全系で前記撮像素子の撮像光学系が構成され、この撮像光学系の焦点距離が、３５ｍｍフィルム判換算で８００ｍｍ以上である請求項１ないし７のいずれかに記載の望遠鏡本体。
【請求項９】
請求項１ないし８のいずれかに記載の望遠鏡本体と、接眼光学系とを有することを特徴とする望遠鏡。
【発明の詳細な説明】
【技術分野】
【０００１】
本発明は、望遠鏡本体および望遠鏡に関する。
【背景技術】
【０００２】
アイピースから覗いた観察像と同じ電子画像を撮影可能なデジタル撮影機能付きの望遠鏡（地上望遠鏡）が知られている（例えば、特許文献１参照）。デジタル撮影機能付き望遠鏡は、対物光学系およびフォーカスレンズを経た光をビームスプリッターで分岐させ、分岐した一方の光を接眼光学系へ導き、他方の光を例えばＣＣＤ等の撮像素子へ導くように構成されている。
【０００３】
このようなデジタル撮影機能付き望遠鏡を含め、一般に光学レンズでは、色消しレンズを用いて、波長が５００〜６００ｎｍ（緑色〜オレンジ色）の光に対して縦色収差が少なくなるように設計するが、その前後の波長（青色、赤色）には縦色収差が残る。この残った縦色収差（これを２次スペクトルという）は、通常の写真撮影用レンズでは許容できる程度であるが、縦色収差は焦点距離に比例して大きくなるので、デジタル撮影機能付き望遠鏡のような長焦点光学系では大きな影響を受ける。
【０００４】
青色光や赤色光の縦色収差が大きくなっても、人がアイピースから肉眼で観察する場合には問題とならない。その理由は、人間の目は一定のエネルギーの光をあてた場合であって波長によって明るさの感じ方（視感度）が異なることにある。人間の目の視感度は、緑色光に対して最も高く、青色光や赤色光に対しては低いので、人間の目には、緑色光が最も明るく見えるのに対し、青色光や赤色光は見えにくい。このため、人がアイピースから直接観察する場合には、青色光や赤色光の縦色収差が大きくても気付かないのである。
【０００５】
これに対し、撮像素子は、青色光や赤色光に対しても緑色光と同様に高い感度を持っているので、青色光や赤色光の縦色収差の影響を受ける。通常、撮像素子の前には赤外線カットフィルターを設けているため、赤色光については縦色収差の影響は目立たないが、青色光については、縦色収差は撮影した電子画像において青色や紫色の色にじみとなって現れる。
【０００６】
以上述べたように、したがって、撮像素子を用いたデジタル撮影機能付き望遠鏡では、アイピースから直接観察したときには縦色収差に気付かないが、撮像素子で撮影した画像には縦色収差の影響によって青色や紫色の色にじみが生じる、という問題がある。青色光についても縦色収差を低減できるような低分散レンズなどの特殊な硝材を使用すれば、色にじみを低減することはできるが、そのような硝材は高価であり、製造コストが増大する。
【０００７】
【特許文献１】登録実用新案第３０７４６４２号公報
【発明の開示】
【発明が解決しようとする課題】
【０００８】
本発明の目的は、撮像素子で撮影した画像に縦色収差の影響による色にじみが生じるのを防止することができるとともに、比較的安価で製造することができる望遠鏡本体および望遠鏡を提供することにある。
【課題を解決するための手段】
【０００９】
このような目的は、下記の本発明により達成される。
（１）  対物光学系と、
ピント合わせを行う際に操作するピント操作部材と、前記ピント操作部材の操作によって光軸方向へ移動するフォーカスレンズとを有する合焦手段と、
前記対物光学系および前記フォーカスレンズにより得られた像を撮像する撮像素子とを備えた望遠鏡本体であって、
前記撮像素子へ入射する光に含まれる紫外領域付近の波長の光を除去する紫外線除去手段を設けたことを特徴とする望遠鏡本体。
【００１０】
これにより、撮像素子で撮影した画像に縦色収差の影響による色にじみが生じるのを防止することができる望遠鏡本体を提供することができる。また、比較的安価で製造可能な構成で上記効果を達成することができ、製造コストの上昇を回避することができる。
【００１１】
（２）  前記紫外線除去手段は、波長が４３０ｎｍ以下の光の５０％以上を除去する上記（１）に記載の望遠鏡本体。
これにより、色にじみの発生をより確実に防止することができる。
【００１２】
（３）  前記フォーカスレンズを経た光路を、接眼光学系へ向かう光路と前記撮像素子へ向かう光路とに分岐させるビームスプリッターをさらに備え、
前記紫外線除去手段は、前記ビームスプリッターと前記撮像素子との間の光路に設けられている上記（１）または（２）に記載の望遠鏡本体。
これにより、紫外線除去手段の小型化が図れ、製造コストの低減に寄与する。
【００１３】
（４）  前記フォーカスレンズを経た光路を、接眼光学系へ向かう光路と前記撮像素子へ向かう光路とに分岐させるビームスプリッターと、
前記ビームスプリッターと前記撮像素子との間の光路に配置され、前記ビームスプリッターからの光束を前記撮像素子の受光面上に結像させる結像光学系とをさらに備える上記（１）ないし（３）のいずれかに記載の望遠鏡本体。
これにより、撮像素子の小型化が図れ、地上望遠鏡本体の小型化に寄与する。
【００１４】
（５）  前記紫外線除去手段は、前記結像光学系と前記撮像素子との間の光路に設けられている上記（４）に記載の望遠鏡本体。
これにより、紫外線除去手段のさらなる小型化が図れ、製造コストの低減に寄与する。
【００１５】
（６）  前記紫外線除去手段は、前記撮像素子の受光面近傍に設けられた光学フィルターである上記（１）ないし（５）のいずれかに記載の望遠鏡本体。
【００１６】
これにより、紫外線除去手段を極めて簡単かつ小型な構成とすることができ、製造コストのさらなる低減に寄与する。
【００１７】
（７）  前記撮像素子の受光面近傍に設けられた光学ローパスフィルターおよび／または赤外線カットフィルターを有し、前記光学フィルターは、前記光学ローパスフィルターおよび／または前記赤外線カットフィルターと積層されている上記（６）に記載の望遠鏡本体。
【００１８】
これにより、紫外線除去手段を極めて簡単かつ小型な構成とすることができるとともに、組立も容易となり、製造コストのさらなる低減に寄与する。
【００１９】
（８）  前記対物光学系を含む前記対物光学系から前記撮像素子の受光面までの間に配置された光学系全系で前記撮像素子の撮像光学系が構成され、この撮像光学系の焦点距離が、３５ｍｍフィルム判換算で８００ｍｍ以上である上記（１）ないし（７）のいずれかに記載の望遠鏡本体。
【００２０】
撮像光学系の焦点距離が上記のような範囲にある場合、本発明の効果がより顕著に発揮される。
【００２１】
（９）  上記（１）ないし（８）のいずれかに記載の望遠鏡本体と、接眼光学系とを有することを特徴とする望遠鏡。
【００２２】
これにより、撮像素子で撮影した画像に縦色収差の影響による色にじみが生じるのを防止することができる望遠鏡を提供することができる。また、比較的安価で製造可能な構成で上記効果を達成することができ、製造コストの上昇を回避することができる。
【発明の効果】
【００２３】
本発明によれば、撮像素子で撮影した画像に縦色収差の影響による色にじみが生じるのを防止することができる望遠鏡本体および望遠鏡を提供することができる。また、比較的安価で製造可能な構成で上記効果を達成することができ、製造コストの上昇を回避することができる。
【発明を実施するための最良の形態】
【００２４】
以下、本発明の望遠鏡本体および望遠鏡を添付図面に示す好適な実施形態に基づいて詳細に説明する。
図１は、本発明の地上望遠鏡本体の実施形態を示す斜め前方から見た斜視図、図２は、図１に示す地上望遠鏡本体を斜め後方から見た斜視図、図３は、図１に示す地上望遠鏡本体の断面側面図、図４は、本発明の地上望遠鏡の光学系を示す斜視図、図５は、プリズムユニットを図３と反対側から見た側面図、図６は、図１に示す地上望遠鏡本体のブロック図、図７は、フィルターユニットの断面側面図、図８は、分光透過率特性および分光感度特性を示すグラフである。
【００２５】
これらの図に示す本発明の地上望遠鏡本体１は、アイピース２と組み合わせることにより、地上望遠鏡（スポッティングスコープ）１０を構成するものである。地上望遠鏡１０は、例えば野鳥観察などの目的に好適に用いることができる。
【００２６】
図１に示すように、地上望遠鏡本体１は、対物光学系１１を内蔵した鏡筒１２と、鏡筒１２の基端側に設けられた筐体１３とを有している。筐体１３の正面側上方には、ピントリング３２が回転可能に設置されている。
【００２７】
図２に示すように、筐体１３の背面側には、アイピース２を着脱自在に装着可能な円筒状のアイピース取付口１４と、ディスプレイ１５と、各種の操作スイッチ類４とが設置されている。
【００２８】
アイピース取付口１４には、図４に示すような、接眼光学系２１を内蔵したアイピース２を着脱自在に装着することができる。アイピース２を焦点距離の異なる他のアイピースに交換することにより、地上望遠鏡１０の倍率を変更することができる。また、アイピース取付口１４には、可変焦点式（ズームタイプ）のアイピースを装着することもできる。
【００２９】
図示の構成では、アイピース取付口１４に装着されたアイピース２の光軸が対物光学系１１の光軸に対し上向きに所定角度傾斜するアングルタイプの地上望遠鏡となっているが、これに限らず、本発明は、両者が平行とされたストレートタイプのものにも適用することができる。
【００３０】
ディスプレイ１５は、例えば液晶表示素子などで構成されている。ディスプレイ１５には、メニュー画面、各種モードの設定画面や、後述するＣＣＤ１６で撮像した画像などを表示することができる。
【００３１】
操作スイッチ類４としては、電源のＯＮ／ＯＦＦを切り替える電源スイッチ４１と、レリーズボタン４２と、メニューボタン４３と、ディスプレイ１５のＯＮ／ＯＦＦを切り替えるディスプレイボタン４４と、ディスプレイ１５に表示されるカーソル等を移動させる上方向ボタン４５１、下方向ボタン４５２、左方向ボタン４５３および右方向ボタン４５４からなる４方向ボタン４５と、選択した内容を確定するＯＫボタン４６とが設けられている。
【００３２】
図３に示すように、鏡筒１２の先端付近には、対物光学系１１が設置されている。また、筐体１３内には、フォーカスレンズ（焦点調節レンズ）３１が対物光学系１１と同軸上に設置されている。フォーカスレンズ３１は、ピント操作部材としてのピントリング３２を回転操作することによって光軸方向へ移動し、これによりピント合わせを行うことができる。ピントリング３２の回転運動をフォーカスレンズ３１の直進運動に変換するフォーカスレンズ移動機構（図示せず）としては、例えば円筒カム機構や送りねじ機構などを用いることができる。フォーカスレンズ３１と、ピントリング３２と、前記フォーカスレンズ移動機構とで、合焦手段３が構成される。
【００３３】
筐体１３内におけるフォーカスレンズ３１の後方には、プリズムユニット５が設置されている。プリズムユニット５は、第１の直角プリズム５１と、第２の直角プリズム５２と、第３の直角プリズム５３と、第４の直角プリズム５４と、プリズム５５とを有している。
【００３４】
第１の直角プリズム５１の短辺側の面と第２の直角プリズム５２の長辺側の面とは接合されており、この接合面がビームスプリッター５６を構成している。また、図４に示すように、プリズム５５には、接眼光学系２１（アイピース取付口１４）へ向かう光が出射する出射面５５１が設けられている。
【００３５】
図３に示すように、対物光学系１１およびフォーカスレンズ３１を経た光は、まず、第１の直角プリズム５１へ入射する。この光の光路Ｌ１は、ビームスプリッター５６にて、接眼光学系２１へ向かう光路Ｌ２と、後述するＣＣＤ１６へ向かう光路Ｌ３とに分岐する。
【００３６】
接眼光学系２１へ向かう光路Ｌ２は、ビームスプリッター５６での反射と、第１の直角プリズム５１の他方の短辺側の面での反射とにより、１８０°向きが変わる。図５に示すように、光路Ｌ２は、第３の直角プリズム５３にて２回反射して再度１８０°向きが変わり、さらにプリズム５５にて２回反射することにより上向きに傾斜し、出射面５５１より出射して接眼光学系２１へ向かうように構成されている。
【００３７】
第１の直角プリズム５１と第３の直角プリズム５３とは、正立光学系（ポロプリズム）を構成する。これにより、アイピース２において正立像を観察することができる。
【００３８】
図３に示すように、ＣＣＤ１６へ向かう光路Ｌ３は、ビームスプリッター５６を透過して第４の直角プリズム５４内へ進み、第４の直角プリズム５４にて２回反射することにより１８０°向きが変わって前方へ進む。
【００３９】
筐体１３内には、さらに、撮像素子としてのＣＣＤ１６と、光学フィルターユニット１７と、結像光学系としての縮小光学系１８とが設置されている。
【００４０】
ＣＣＤ１６は、光路Ｌ３に沿って進んだ光を受光する位置に配置されており、対物光学系１１およびフォーカスレンズ３１により得られた像を撮像可能になっている。ＣＣＤ１６の受光面の位置は、使用者がアイピース２を覗きつつピントリング３２を回してピント合わせをしたとき、ＣＣＤ１６にもピントが合うような位置になっている。このような構成により、地上望遠鏡１０では、アイピース２での観察像と同じ電子画像をＣＣＤ１６によって撮影することができる。なお、撮像素子としては、ＣＣＤ１６に限らず、例えばＣＭＯＳセンサー等を用いてもよい。
【００４１】
光学フィルターユニット１７は、ＣＣＤ１６の受光面側に重ねて設置されている。図７に示すように、光学フィルターユニット１７は、光学ローパスフィルター１７１、１７２と、赤外線カットフィルター１７４と、光学ローパスフィルター１７３と、紫外線カットフィルター１７５とが受光面側からこの順に積層されてなるものである。
【００４２】
光学ローパスフィルター１７１、１７２および１７３は、被写体光の空間周波数の中から、ＣＣＤ１６の画素間隔で決まる標本化空間周波数に近い空間周波数成分を低減させるものである。この光学ローパスフィルター１６を設けたことにより、偽色（モアレ）が生じるのを防止することができる。
【００４３】
赤外線カットフィルター１７４は、赤外波長成分を除去するものである。赤外線カットフィルター１７４を設置したことにより、ＣＣＤ１６が人間の目に見えない赤外光を受光してしまうのを防止することができる。この赤外線カットフィルター１７４としては、例えば図８に示すような分光透過率特性のものを用いることができる。
【００４４】
紫外線カットフィルター１７５は、紫外線および紫外領域付近の波長の光（可視光）を除去する紫外線除去手段として機能するものである。本発明では、後に詳述するように、紫外線カットフィルター１７５を設けたことにより、ＣＣＤ１６で撮像した画像に青色や紫色の色にじみが生じるのを防止することができる。
【００４５】
この紫外線カットフィルター１７５としては、例えば図８に示すような分光透過率特性のシャープカットフィルターを用いることができる。
【００４６】
また、紫外線カットフィルター１７５の特性としては、波長が４３０ｎｍ以下の光の５０％以上を除去するものであるのが好ましい。これにより、青色や紫色の色にじみをより確実に防止することができる。
【００４７】
第４の直角プリズム５４と、ＣＣＤ１６および光学フィルターユニット１７との間には、縮小光学系１８が設置されている。フォーカスレンズ３１からの、光路Ｌ３を通った光束は、縮小光学系１８によってＣＣＤ１６のサイズに合うように縮小され、ＣＣＤ１６の受光面上に結像する。
【００４８】
以上説明したように、地上望遠鏡本体１では、対物光学系１１を含む対物光学系１１からＣＣＤ１６の受光面までの間に配置された光学系全系、すなわち、対物光学系１１、フォーカスレンズ３１、ビームスプリッター５６、縮小光学系１８および光学フィルターユニット１７によって、ＣＣＤ１６に対する撮像光学系が構成される。
【００４９】
この撮像光学系の焦点距離は、３５ｍｍフィルム判換算で８００ｍｍ以上であるのが好ましい。ここで、３５ｍｍフィルム判換算の焦点距離とは、ＣＣＤ１６の有効受光面を３５ｍｍ銀塩フィルムカメラのフィルム露光面（３６ｍｍ×２４ｍｍ）の面積に拡大したとき、その拡大受光面に同じ画角で被写体像を結像させるような焦点距離を言う。
【００５０】
また、この撮像光学系の焦点距離の上限は特にないが、実際に実用されると想定される本発明の望遠鏡における撮像光学系の焦点距離としては、３５ｍｍフィルム判換算で２００００ｍｍ以下程度である。
【００５１】
図６に示すように、地上望遠鏡本体１は、電気的回路構成として、制御手段としてのＣＰＵ（Central Processing Unit）６０と、ＤＳＰ（Digital Signal Processor）６１と、ＳＤＲＡＭ（Synchronous Dynamic Random Access Memory）６２と、撮像信号処理回路６３と、タイミングジェネレータ６４と、ＪＰＥＧ回路（画像データ圧縮回路）６５と、メモリインターフェース６６とを有している。また、筐体１３内には、メモリーカード（記録媒体）１００を装填可能なスロット（図示せず）が設けられている。
【００５２】
ＣＰＵ６０は、地上望遠鏡本体１を統括的に制御するものであり、撮影制御、操作スイッチ類４の操作に基づく各種動作制御等を行う。
【００５３】
ＤＳＰ６１は、ＣＣＤ１６の駆動制御およびＣＣＤ１６からの画素信号から画像データを生成したり、画像データの圧縮処理やメモリーカード１００への画像データ記録処理など、画像処理および画像記録の処理動作を統括して制御するプロセッサであり、ＣＰＵ６０と接続され相互に通信して制御の連携が可能な構成となっている。
【００５４】
ＳＤＲＡＭ６２には、画像データ生成等の作業を行う作業領域や、ディスプレイ１５用領域等が予め定められている。
【００５５】
タイミングジェネレータ６４は、ＤＳＰ６１の制御に基づき、ＣＣＤ１６、撮像信号処理回路６３に対してサンプルパルスなどを出力し、これらの動作制御を行う。
【００５６】
ディスプレイ１５には、次のようにして、ＣＣＤ１６で撮像したリアルタイムの画像をライブビュー表示（モニター表示）することができる。ＣＣＤ１６上に結像した被写体像は、光電変換されて電荷データとなり、この電荷データ（信号）は、ライブビュー画像データ作成のため、ＣＣＤ１６から所定画素分ずつ間引かれて順次読み出され、撮像信号処理回路６３にて相関二重サンプリング（ＣＤＳ）、自動利得制御（ＡＧＣ）およびアナログ−デジタル変換がなされた後、ＤＳＰ６１へ入力される。ＤＳＰ６１においては、入力された信号に対して所定のカラープロセス処理やγ補正等の信号処理が施され、ライブビュー画像データ（輝度信号データＹ、二つの色差信号データＣｒ、Ｃｂ）が生成される。このライブビュー画像データは、ディスプレイ１５の表示画素数に対応して、ＣＣＤ１６の有効画素数よりも少ない画素数（間引きしたデータ数）の画像データであり、このライブビュー画像データに基づいてディスプレイ１５の表示がなされる。ライブビュー画像データの生成処理は、ＣＣＤ１６の読み出しとともに周期的に更新され、ディスプレイ１５上では、リアルタイムの動画として表示される。
【００５７】
一方、撮影時には、次のように作動する。ＣＰＵ６０は、レリーズボタン４２が押されてレリーズスイッチ（図示せず）がオンすると、ＤＳＰ６１へ本露光動作を指示する。本露光指令を受けたＤＳＰ６１は、ＣＣＤ１６の不要電荷掃き出し制御や電荷蓄積時間（露光時間）制御を行った後、前記と同様に撮像信号処理回路６３を介してＣＣＤ１６から画素間引きせずに電荷データを読み出し、ＳＤＲＡＭ６２に一旦保持する。そして、ＤＳＰ６１は、ＳＤＲＡＭ６２から読み出した電荷データに対し所定の信号処理を施すことにより、画素データ数の多い記録用静止原画像データを生成する。
【００５８】
さらに、ＤＳＰ６１は、生成された記録用静止原画像データから画素データ間引き処理をして、表示用静止画像のスクリーンネイル（例えば６４０×４８０画素）を生成し、一定時間、ディスプレイ１５に表示させる。また、ＤＳＰ６１は、生成された記録用静止原画像データにＪＰＥＧ回路６５にて画像データ圧縮処理を施し、得られた圧縮画像データをメモリインターフェース６６を介して出力して、メモリーカード１００に記録する。
【００５９】
以上説明したような地上望遠鏡１０では、対物光学系１１の焦点距離が前述したように長いので、これに比例して縦色収差が青色光および赤色光で大きく発生するが、使用者がアイピース２から観察する場合にはこの縦色収差に気が付くことはない。その理由は、次の通りである。図８に示すように、人間の目の明順応比視感度（明るい場所での比視感度）は、波長５５５ｎｍの緑色光に対して最も高く、波長の短い青色光や波長の長い赤色光に対しては低いので、青色光および赤色光の縦色収差が大きくなっても人間の目では感知できず、問題となることはない。
【００６０】
しかしながら、図８に示すように、ＣＣＤ１６のような撮像素子は、青色光および赤色光についても感度が高いので、ＣＣＤ１６で撮像した画像は縦色収差の影響を受けてしまい、色にじみが発生する。赤色光については、赤外線カットフィルター１７４によって吸収されるので縦色収差による色にじみは目立たないが、従来のデジタル撮影機能付き望遠鏡では紫外線カットフィルター１７５を有していないので、青色光の縦色収差の影響により、ＣＣＤ１６で撮像した画像に青色や紫色の色にじみが生じるという問題がある。
【００６１】
これに対し、本発明では、紫外線除去手段として紫外線カットフィルター１７５を設け、ＣＣＤ１６へ入射する光から青色や紫色の色にじみの原因となる波長の光を除去することとしたことにより、この色にじみを防止することができ、よって、鮮明な高画質の画像を撮影することができる。また、本発明では、比較的安価に製造可能な構成で上記効果を達成することができ、製造コストの上昇を回避することができる。
【００６２】
また、本実施形態では、ビームスプリッター５６とＣＣＤ１６との間の光路、特に縮小光学系１８とＣＣＤ１６との間の光路に紫外線カットフィルター１７５を設けたことにより、紫外線カットフィルター１７５の大きさが小さいもので済むので、より安価に製造することができるとともに、構造の簡素化・小型化が図れる。さらに、本実施形態では、紫外線カットフィルター１７５を光学ローパスフィルター１７１、１７２、１７３および赤外線カットフィルター１７４と積層して設けたことにより、極めて簡単かつ小型な構成とすることができる。
【００６３】
なお、本発明では、紫外線カットフィルター１７５のような紫外線除去手段の設置個所は特に限定されず、例えば、対物光学系１１、フォーカスレンズ３１、プリズムユニット５または縮小光学系１８の近傍に設けてもよい。また、紫外線除去手段としては、紫外線カットフィルターに限らず、対物光学系１１、フォーカスレンズ３１、プリズムユニット５または縮小光学系１８の表面に形成した光学薄膜で構成してもよい。さらに、紫外線除去手段としては、紫外線カットフィルター１７５のように特定波長の光を吸収することによってこれを除去するものに限らず、特定波長の光を反射させないことによって除去するものや、吸収と反射を組み合わせて除去するものであってもよい。
【００６４】
また、本実施形態の地上望遠鏡１０は、アイピース２が地上望遠鏡本体１から着脱自在で交換可能なものであるが、本発明では、これに限らず、アイピースが一体化しており交換できないものであってもよい。
【００６５】
また、本発明は、地上望遠鏡に限らず、天体望遠鏡を含め、各種の望遠鏡に適用することができる。
【００６６】
以上、本発明の望遠鏡本体および望遠鏡を図示の実施形態について説明したが、本発明は、これに限定されるものではなく、望遠鏡本体および望遠鏡を構成する各部は、同様の機能を発揮し得る任意の構成のものと置換することができる。また、任意の構成物が付加されていてもよい。
【図面の簡単な説明】
【００６７】
【図１】本発明の地上望遠鏡本体の実施形態を示す斜め前方から見た斜視図である。
【図２】図１に示す地上望遠鏡本体を斜め後方から見た斜視図である。
【図３】図１に示す地上望遠鏡本体の断面側面図である。
【図４】本発明の地上望遠鏡の光学系を示す斜視図である。
【図５】プリズムユニットを図３と反対側から見た側面図である。
【図６】図１に示す地上望遠鏡本体のブロック図である。
【図７】フィルターユニットの断面側面図である。
【図８】分光透過率特性および分光感度特性を示すグラフである。
【符号の説明】
【００６８】
１            地上望遠鏡本体
１０          地上望遠鏡
１１          対物光学系
１２          鏡筒
１３          筐体
１４          アイピース取付口
１５          ディスプレイ
１６          ＣＣＤ
１７          光学フィルターユニット
１７１、１７２、１７３  光学ローパスフィルター
１７４        赤外線カットフィルター
１７５        紫外線カットフィルター
１８          縮小光学系
２            アイピース
２１          接眼光学系
３            合焦手段
３１          フォーカスレンズ
３２          ピントリング
４            操作スイッチ類
４１          電源スイッチ
４２          レリーズボタン
４３          メニューボタン
４４          ディスプレイボタン
４５          ４方向ボタン
４５１        上方向ボタン
４５２        下方向ボタン
４５３        左方向ボタン
４５４        右方向ボタン
４６          ＯＫボタン
５            プリズムユニット
５１          第１の直角プリズム
５２          第２の直角プリズム
５３          第３の直角プリズム
５４          第４の直角プリズム
５５          プリズム
５６          ビームスプリッター
６０          ＣＰＵ
６１          ＤＳＰ
６２          ＳＤＲＡＭ
６３          撮像信号処理回路
６４          タイミングジェネレータ
６５          ＪＰＥＧ回路
６６          メモリインターフェース
１００        メモリーカード
Ｌ１、Ｌ２、Ｌ３  光路
【図１】
2005121723.tif 000003
【図２】
2005121723.tif 000004
【図３】
2005121723.tif 000005
【図４】
2005121723.tif 000006
【図５】
2005121723.tif 000007
【図６】
2005121723.tif 000008
【図７】
2005121723.tif 000009
【図８】
2005121723.tif 000010